(57)【特許請求の範囲】
【請求項１】
洗浄を行う処理ステーション（３３）および塗布を行う処理ステーション（３４，３９〜４１，３９′〜４１′）および乾燥を行う処理ステーション（３５，４７）の少なくとも１つを含み、容器（３，１０３，１０３′）をこれ等の処理ステーションに出し入れするため少なくとも一つの磁石搬送機（６，８）を含む搬送装置とを備えた、容器を処理する設備において、搬送すべき各容器（３，１０３，１０３′）に対する搬送装置が容器（３，１０３，１０３′）に接続し、永久磁石でないが磁化可能な材料で少なくとも一部が作製されたパレット（７，１０７，１０７′）を有し、パレット（７，１０７，１０７′）がパレットの接続面（１２２）を磁気搬送機（６，８）の移動可能な搬送面（８）に接触させ、磁気搬送機（６，８）により磁力で搬送面（８）のところにこの搬送面に対して移動可能に保持され、
a)  パレット荷積みステーション（３１′）が設けられていて、このステーションは、容器の軸の周りに配置された外面，外面の一方の端部に形成された充填口及び外面の他方の端部に形成された閉じた面（１３０）を有する容器の成形後に各容器（３，１０３，１０３′）をパレット（７，１０７，１０７′）に接続し、
b)  パレット荷降ろしステーション（４８）が設けられていて、このステーションは、容器（３，１０３，１０３′）を処理した場合に分離装置によってパレット（７，１０７，１０７′）と容器（３，１０３，１０３′）とを分離してさらに搬送可能にし、
c)  パレット（７，１０７，１０７′）を洗浄するパレット洗浄装置（５０）および不要なパレット（７，１０７，１０７′）を保管するパレット保管装置（５１）のうちの少なくとも１つが設けられていて、
d)  戻し搬送装置（４９）が設けられていて、パレット（７，１０７，１０７′）が、この戻し搬送装置（４９）によってパレット荷降ろしステーション（４８）からパレット荷積みステーション（３１′）に搬送可能であることを特徴とする設備。
【請求項２】
下記の構成、
a)  搬送装置（６〜８，１０７，１０７′）が、処理ステーション（３４）の前で滞留区間を形成し、容器（３，１０３，１０３′）を拘留する好ましくは磁気の少なくとも一つのベルトコンベヤ（４６）を有し、容器（３，１０３，１０３′）が好ましくは操作可能な拘留装置、バリヤによりこの拘留装置に直接接する容器（３，１０３，１０３′）のパレット（７，１０７，１０７′）に当たり、滞留区間で保持され、搬送面（８）がパレット（７，１０７，１０７′）の接続面（１２２）の下を摺動して通過する、
b)  搬送装置（６〜８，１０７，１０７′）が搬送面（８）により移動する容器（３，１０３，１０３′）を、パレット（７，１０７，１０７′）を接触案内して通路に沿って移動させる案内部材（１０）を有し、この案内部材（１０）が、操作装置により移動する、c)  搬送装置（６〜８，１０７，１０７′）が、搬送すべき容器をそれぞれ一つの処理ステーションに通じる少なくとも二つの部分ラインのベルトコンベヤに配分する少なくとも一つの分離装置を有する、
d)  搬送装置が容器を少なくとも二つの部分ラインのベルトコンベヤから集める少なくとも一つの集合装置を有する、
e)  同じ処理に対する少なくとも二つの処理ステーションが処理経過の中で並列に配置されている、
の少なくとも一つを備えていることを特徴とする請求の範囲第１項に記載の設備。
【請求項３】
処理ステーションへ容器（３，１０３，１０３′）を受け渡すため、あるいは処理ステーションから容器（３，１０３，１０３′）を受け取るため、外部処理用の心金、あるいは内部処理用のスリーブのような保持部材を磁気搬送機（６，８）に備えていて、その搬送面（８）が受渡領域で保持部材の軸に対してほぼ垂直に立っているため、パレットの接続面（１２２）に垂直な容器の軸が保持部材の軸に対して平行で、容器（３，１０３，１０３′）が圧搾空気あるいはパレットに作用する電磁操作部材により行われる容器の軸方向の機械的な移動により保持部材に導入されるか、あるいはこの部材から取り出されることを特徴とする請求の範囲第１項または第２項に記載の設備。
【請求項４】
処理ステーションへ容器（３，１０３，１０３′）を受け渡すため、少なくとも一つの磁気ターンテーブルと、パレットに固定または移動するように接触する案内部（１０）とが配置されていることを特徴とする請求の範囲第１〜３項の何れか１項に記載の設備。
【請求項５】
洗浄したあるいは塗布した容器を乾燥させる少なくとも一つの処理ステーション（３５，４７）は貫通する磁気的な炉のベルトコンベヤ（５）を持つ炉として形成され、ベルトコンベヤ（５）は、炉（３５，４７）の中に一つの滞留領域を有し、この滞留領域内で容器（３，１０３，１０３′）が必要な乾燥時間の間拘束され、下記の構成、
a)  炉（３５，４７）が、入口のところにも、容器（３，１０３，１０３′）を伴うパレット（７，１０７，１０７′）を炉のベルトコンベヤ（５）の上で拘留する封鎖装置を有する、
b)  新鮮な空気を炉（３５，４７）に吸引する吸引装置が、吸引時に新鮮な空気を乾燥させる容器（３，１０３，１０３′）の上に導入し、予備加熱できるように形成さている、c)  処理工程に続く少なくとも二つの炉（４７a，４７b，４７c）が、輻射により熱損失を低減するため、隣接しているか、共通の炉（４７）として形成されている、
の少なくとも一つを備えていることを特徴とする請求の範囲第１〜４項の何れか１項に記載の設備。
【請求項６】
浄化あるいは洗浄を行う少なくとも一つの処理ステーション（３３）は磁気洗浄搬送機を有し、この搬送機は容器をパレットにより脱脂領域や噴霧領域のような種々の浄化領域を通過させ、洗浄搬送機は洗浄液をできる限り完全に排出させるため、容器を各洗浄領域か出る前に、容器の開口を下向きに維持し、そして、入る時には容器の内部に洗浄液を完全に満たすため、場合によって設けてあるベルトから少なくとも出る前に、開口を上向きに維持するように配置されていることを特徴とする請求の範囲第１〜５項の何れか１項に記載の設備。
【請求項７】
a)  パレット荷積みステーション（３１′）は、容器（３，１０３，１０３′）から外に向かって突出している接続部分（１３２）をパレット（７，１０７，１０７′）に接続し、
b)  パレット荷降ろしステーション（４８）が、分離手段によってパレット（７，１０７，１０７′）の特にリベット状の接続部分（１３２）の領域を切り離すことを特徴とする請求の範囲第１〜６項の何れか１項に記載の設備。
【請求項８】
搬送面（８）に係合するパレットの接続面（１２２）と、パレット（７，１０７，１０７′）を容器（３，１０３，１０３′）に接続するため少なくとも一つの接続装置（１１７）を伴う連結面（１２１）とを備え、パレットの接続面（１２２）と連結面（１２１）が平行に配置されていて、請求の範囲第１〜７項の何れか１項の設備に対するパレットにおいて、このパレット（７，１０７，１０７′）が永久磁石でないが磁化可能な材料で作製され、接続装置（１１７）が容器の接続面（１３０）と形状を合わせて保持され、パレット接続面（１２２）の外側縁部分に、接続面（１２２）に対して垂直に形成され、この接続面（１２２）から連結面（１２１）の方に延びている接触面（１３４）を設けていることを特徴とするパレット。
【請求項９】
下記の構成、
a)  パレット（７，１０７，１０７′）が、リング状のパレット接続面（１２２）と、円板状の連結面（１２１）と、接続面（１２２）を連結面（１２１）に対して所望の間隔で連結面（１２１）に接続する好ましくは円筒状の間隔保持面（１３１）とを有し、間隔保持面（１３１）が好ましくはパレット接続面（１２２）の内側縁部分から連結面（１２１）の外側縁部分へ通じる、
b)  接続装置（１１７）が、少なくとも一つの接続開口（１１７）を有し、この接続開口に容器面（１３０）の接続部分（１３２，１３２′）が固定される、
c)  連結面（１２１）が、中心、特に一つの接続開口（１１７）の周りに対称に配置された少なくとも３つの突起（１３３）を有し、これ等の突起が接続状態で連結面（１２１）と容器面（１３０）の間に自由空間を空けており、両方の面の間に接続応力を生じる、
の少なくとも一つを備えていることを特徴とする請求の範囲第８項に記載のパレット。
【発明の詳細な説明】
この発明は、請求の範囲第１項の前段に規定する設備、請求の範囲第８項の前段に規定する装置および請求の範囲第９項の前段に規定するパレットに関する。
容器を処理する場合、特にこの容器を製造する場合、種々の処理工程を行うため容器を処理ステーションに導き、これ等の容器を、場合によって、受渡して処理し、次いで更に他に導く。容器を低コストで処理できるため、搬送装置や処理ステーションは簡単な手段で容器の多量の仕込み量をできる限り乱れなく行えるように構成され、互いに調整される必要がある。容器を作製する種々の設備は搬送の考え方が長い間変わらないため、個々の処理ステーションで改良を施すだけの開発が行われている。
見かけ上侵すべからざるこの搬送の考えに結び付くことは、特にエアロゾル缶やチューブのような圧出成形された容器を作製する場合に顕著に認識できる。図１はアルミニウム缶を作製する周知の設備の基本構造を示す。製造工程はプレス３０のプレス工程で始まる。これに直ぐ続き、素材作業装置３１内で素材の容器あるいは缶を切断したり、場合によっては、ブラシ掛けする。次いで、これ等の缶をチエーンコンベヤ３２の心金またはマンドレルに載せ、洗浄装置と乾燥装置のある浄化ステーション３３に通す。洗浄した後、内部塗布装置３４でこれ等の缶の内部にラッカーを塗布する。このため、各缶をチエーンコンベヤの心金から外し、保持皿に載せ、次いでスリーブ状の回転可能なホルダーに入れる必要がある。内部のラッカーは移動するノズルから缶の内部に排出され、その間、これ等の缶は回転する。その後、各缶をスリーブ状のホルダーから炉の皿に移し、その中で乾燥させるため第一炉３５の中に通し、その後に再びチエーンコンベヤ３２の心金に載せる。
内部塗布に必要な缶移動を缶の軸に沿って操作するため、勢いの強い圧搾空気の吹付を使用する。圧搾空気の吹付、保持皿の動きおよび搬送チエーンの動きは、コストのかかる制御部により正確に同期させる必要がある。保持皿、スリーブ状のホルダーおよび炉の皿は、それぞれ実際の缶の直径に合わせ、他の直径の缶を製造するには交換する必要があり、これが長い休止時間を与える。
内部塗布処理ステーション３４，３５および浄化ステーション３３の投入量の短時間の相違を補償するため、第一チエーン保管部３６が設けてある。このチエーン保管部は、送る心金の個数を増やしたり減らしたりし、それに応じて戻す心金の個数を増やしたり減らす。第二チエーン保管部３７は内部塗布ステーション３４，３５の後の外部処理ステーション３８の前に設けてある。外部処理ステーション３８には、下地塗り装置３９，印刷装置４０および上塗り装置４１がある。これ等三つの全ての装置３９〜４１では、缶をチエーンにより心金に載せて塗布し、再びチエーンに載せて乾燥炉の中を通す。その場合、缶を動かすことが重要であるため、内部塗布の場合とほぼ同じ問題が生じる。
外部塗布部３８の後には、第三のチエーン保管部４２と、それに続き、例えばエアロゾル缶の場合、缶の首部分を整形する最終整形装置４３と、包装装置４４とが設けてある。
缶を保持するため一定間隔で横に突出する心金を備えたチエーン搬送機を用いて搬送することが、全製造ラインに使用される搬送原理である。その場合、缶を必ず一次元で一定間隔に並べ、平均して同じ速度で移動させる。全設備を通してほぼ一定に缶を移動させると、処理ステーションで、同期問題が生じる。運転による、あるいは乱れによる局部的な送りの変動を相殺するため、経費のかかる機械的な補償装置ないしは保管装置を設ける必要がある。更に、処理領域内の缶の滞留時間をこの処理領域内のチエーンの長さでほぼ決める必要があり、これは炉内の乾燥時間が長いため異常に長い搬送チエーンとなる。このチエーン搬送の構想のため、大きな空間の中に置く固定組込で直線状の製造ラインとなり、この製造ラインでは、全ての処理ステーションを正確に互いに調整する必要がある。更に、搬送チエーンの保守経費や炉の電力損失が非常に大きい。
この発明の課題は、簡単にしかも柔軟さをもって建設され、同期に対する経費を少なくする、任意で特に非磁性材料の容器を処理する設備を提供することにある。更に、この搬送装置は種々の処理ステーションで受渡を簡単にするように構成されるべきである。
上記の課題は、請求の範囲第１項の特徴部分と共に前段部分の構成を実現させて解決されている。更に、この発明による課題を解決する場合、請求の範囲第８項のパレットを見出した。この代わりの構成あるいは有利な構成は、それぞれ従属請求項の構成により達成されている。
この課題を解決する場合、従来の技術に基づき上に説明した難点が缶を搬送チエーンの心金で搬送することにより実質上生じることが分かった。この発明による解決策では、缶をパレットにより移動可能な搬送面で運ぶことにより、搬送過程で同期問題を阻止するのに必要な柔軟性が生じる。ベルトコンベヤの搬送ベルトのような搬送面の移動速度が一定である場合、缶の移動速度と個々の缶の間の間隔も可変できる。何故なら、搬送面とこの面に接するパレットの接続面との間で滑らすことが可能であるからである。搬送面上でのパレットの動きに影響を与える案内部材やストッパー部材により、投入量の変動を補償する滞留領域が、また缶を受渡個所で準備する受渡領域が形成される。これ等の処理ステーションは、処理頻度に応じて処理すべき缶を滞留領域からあるいは受渡個所から取り出し、それ等を処理後、搬送面の上で同期させることなく案内する。
搬送面上の相対速度を制限することなく、少なくとも問題になる搬送機の領域で、接続面が搬送面から意図しなく外れたり、缶がパレットと共に傾くことを防止するため、パレットを少なくとも一部磁性材料で形成し、その領域で搬送面に少なくとも一つの永久磁石、あるいは、場合によっては、電磁石部材を付属させている。その結果、パレットは磁力によりに搬送面に付着している。従って、パレットは缶がパレットから外れることなく、搬送面は任意に調整できる。任意に調整できることは、処理ステーションでの受渡し時や、特に処理ステーションでの処理時にも有利である。
パレットは、搬送面に載せるパレット接続面と、パレットを缶の面に接続するため少なくとも一つの接続装置を備えた接続面とを有する。その場合、パレット接続面と接続面はほぼ平行に配置されている。開放端とこの開放端に対向する缶の封止面を持つ円筒状の缶の場合、搬送面に対して缶を好ましい向きにするため、缶の封止面を接続面に接続する。これにより、缶の軸が何時も搬送面に対してほぼ垂直に向くことが保証される。
缶を水平な姿勢で処理ステーションあるいはそのステーションの保持部材のところで受け渡すため、搬送面は受渡領域でほぼ垂直に向いている。缶の底に磁気的に保持されるパレットの配置のため、缶を缶の開口から自由に扱え、保持皿の中に入れることなく、外部処理用の保持心金の上に直接、あるいは内部処理用のスリーブに入れることができる。磁化可能なパレットを使用する利点は、缶の動きを圧搾空気のパルスで操作することが、場合によって、省ける点にある。操作または導入や取り外し時に必要な容器の軸の方向の移動は、好ましくは電磁操作手段で行われる。製造ラインを他の直径の缶のものに換える場合には、保持皿の交換を省ける。ただ保持部材のみを交換する必要があるだけである。
この設備の有利な構成では、缶を内部処理のためスリーブに入れるのでなく、パレットを磁気的に保持する磁気保持面により缶が担持される。内部塗布で噴霧する時に缶を回転させるため、保持面は特に回転可能に形成されている。磁気保持面は、スリーブに比べて、これ等の保持面が大きさの異なった缶を同じ大きさのパレットの上に保持するために、そして好ましくは異なった大きさの缶を異なったパレットに保持するためにも形成されているので、他の直径に切り換える時、これ等の保持面を交換する必要がないと言う利点がある。
これ等の缶は、場合によって、磁気ターンテーブルおよび／またはパレットと共に案内接触する固定案内部または移動案内部により保持部材に対向する位置に移動する。ターンテーブルが保持部材を有する回転ドラムの動きに同期して同芯状に動く場合、受渡は移動する保持部材の上でも行われる。
浄化ステーションでは、洗浄液を流し出すため、缶の開放端を下向きにする必要がある。これは、搬送面が下向きの磁気搬送装置により問題なく達成される。チエーン搬送機を磁気搬送機に交換することりより、搬送する缶を任意の向きにできる。更に、搬送機の保守経費が著しく少なくなり、特にベルトコンベヤの上に滞留領域を設けることにより、経費のかかるチエーン保管部を省くことができる。この新しい搬送機の考えにより、設備を非常に柔軟に構成できる。直線状の製造ラインの代わりに、横方向あるいは垂直方向に移動できるように配置された、好ましくはベルトコンベヤに接続する処理領域にもできる。それにより、この設備は既存の製造スペースに合わせることができ、これは、従来の技術の設備の場合、不可能であるか、あるいは大きな経費をかけてのみ可能であった。
搬送装置には、搬送面で移動する容器を、特にパレットと共に案内接触して望む距離に沿って移動させる案内部材がある。その場合、これ等の案内部材は、場合によっては、操作装置により移動する。こうして、簡単な手段により、搬送すべき容器を少なくとも二つの部分ラインに分離する分離装置を設けることができる。これ等の部分ラインは平行に処理する処理ステーションとなる。平行に配置されたステーションで処理した後、集合装置により少なくとも二つの部分ラインからの容器を一緒に集めることができる。このような並列処理は、チエーン搬送機を備えた設備の場合には極度に経費がかかる。柔軟な設備構成の枠内では、熱損失を最小にするため、場合によっては、炉を異なった処理工程に取り込むと合理的である。
炉の装填は好ましくはベルトコンベヤで行う。これ等のコンベヤは缶をそれぞれ炉の中で乾燥させるため滞留領域に保持する。缶をパレット上で立てたまま炉に入れることにより、乾燥が非常に簡単になる。特に内部塗布の乾燥には、炉の皿が余計で、設備を他の大きさの缶に換える場合、これ等の炉の皿を交換する必要がない。外部塗布を乾燥する場合、従来の技術ではチエーンを炉に通す。このチエーンにより、合理的に設計されたパレットによるよりも多くの熱エネルギが炉から排出される。
この発明による設備は、構造が柔軟であるだけでなく、最小の改造経費でも多くの異なった大きさの成形された缶あるいは容器を処理することができる。パレットと缶の底を統一的に接続する選択により、そして、パレットの断面が少なくとも二段の缶のタイプの断面より幾分大きいようにパレットの断面を選ぶことにより、種々のタイプの缶に対して同じパレットを使用できる。缶の高さは問題とならず、これは心金を用いるホルダーに比べて他の利点となる。
パレットは設備の初期領域で缶に接続し、最終領域で缶から離れ、パレット戻り装置により初期領域に再び案内される。この戻し部の枠内では、パレット洗浄部と、特にパレット保管部を設けると有利である。パレットの異なったタイプ、例えば異なった断面のパレットを使用するパレットのタイプを用いて同じ設備を問題なく運転できる。これには、全てのパレットを各タイプに応じて別々の領域に保管する、および／または、必要な場合、設備の初期領域に運べるようにパレット保管部を形成すると有利である。この発明による設備は一定材料の缶に限定するものではない。缶の材料としては、金属、磁性材料や非磁性材料も、また非金属、特に合成樹脂も考えられる。この設備あるいは少なくともこの設備の一部の広い応用性は、磁気搬送機を磁化可能なパレットと共に備えている搬送装置により生じている。
図面は模式的に示す実施例に基づきこの発明を説明する。
図１：  従来の技術によるアルミニウム缶を処理する設備、
図２：  この発明による設備の流れ図、
図３：  アルミニウム缶を伴うパレットの断面とパレットの平面図、
図４：  チューブを伴うパレットの断面とパレットの平面図、
図５：  内部処理ステーションの斜視図、
図６：  磁化可能なパレットの実施例の平面図、
図７〜９：  パレットの断面図。
図２はアルミニウム缶を製造するこの発明による設備の流れ図を示す。第一処理ステーションとしてプレス３０が設けてある。粗材の缶は、一端に充填開口と他端に閉じた面なある円筒状のスリーブから成る。容器の軸方向にほぼ向き、好ましくは中心に配置された接続部分が閉じた面から突出している。次いで、これ等の缶は粗処理ステーション３１′で所望の長さに切断され、場合によっては、ブラシをかけ、そしてパレットが設けてある。こうして、このステーション３１′は荷積み装置を有し、この荷積み装置は接続部分をパレットの開口に入れ、特にリベット装置でパレットに固定連結して、缶の接続面をパレットの連結面に接続する。
場合によっては、缶を有するパレットを少量生産用の予備貯蔵部４５に入れる。粗処理ステーション３１′から、場合によっては予備貯蔵部からでも装填できる磁化可能なベルトコンベヤが浄化ステーション３３に通じている。これ等の缶は、パレットによりコンベヤ上で脱脂領域や洗浄領域のような種々の浄化領域を通して案内される。その場合、洗浄液をできる限り完全に排出させため、各浄化領域から出る前に缶の開口が下向きに保持され、そして、入る場合、缶の内部を完全に洗浄液で満たすため、少なくとも場合によって設けてあるベルトから排出する前に開口を上向きに保持するように、コンベヤが配置されている。
洗浄領域には滞留区間４６を持つベルトコンベヤが続き、この滞留区間は通さない容器を一時的に止める。パレットは操作可能な拘留装置、特に拘留装置に直接接する容器のパレットを当てるバリヤで拘留すると有利である。搬送面は滞留しているパレットの接続面の下で摺動しながら通過する。
滞留領域から、それに続く内部塗布装置３４がある場合、缶は好ましくは磁化可能な導入コンベヤ、特にターンテーブルにより導入され、そこからほぼ水平な方向に向けて、ラッカーを塗布する時に缶を回転させる回転可能なホルダーに収納される。この発明による設備では、缶を垂直方向に簡単に受け渡してラッカーを塗布することができる。場合によっては、ラッカーを塗布する時の回転運動を省くことができる。缶の口はパレットと共に運ぶ時に自由に取り扱えるので、缶を内部塗布装置のホルダーの中に必ずしも入れる必要はなく、図５に示すように、パレットと共に搬送面の直立する缶に直接ラッカーを塗布できる。搬送面はラッカーを塗布している間に移動しても止まっていてもよい。少なくとも一つのラッカーノズルを缶にいれることができるように配置する必要がある。缶を磁化可能なパレットの上で搬送するこの発明に利点は、この搬送方法を搬送チエーンを備えた設備の処理ステーションと共に、また新しい搬送構想で整備された処理ステーションと共にも採用できる点にある。このことは、例えば既存の設備で搬送チエーンを取り除き、古い処理ステーションの間の搬送をパレットと磁気搬送機を用いるこの発明による搬送部に置き換えることができることを意味する。この新しい搬送構想に基づき設計される処理ステーションを持つ設備はもっと有利に構成できることは当然分かる。
内部塗布装置３４から、缶は好ましくはベルトコンベヤ上で内部ラッカー炉３５′に達し、そこで、例えば乾燥のため、ベルトコンベヤ上の滞留領域に拘留される。熱損失や、場合によって、自由になったガスの排出を防止するため、炉３５′は充填の初めに出口側を、そして充填の終わりで入口側を閉ざす。乾燥後に出口側を開くので、缶は炉３５′の滞留領域から再びベルトコンベヤに導入される。望ましくないガスを放出させないため、炉３５′から缶が出る間に、ガスを吸い込み、浄化部に導入する。炉３５′に流入する新鮮な空気は、炉３５′で予熱されるように、出てゆく缶の上を通すと効果的である。炉３５′から全ての缶が出たら、排出口を再び閉じ、次の乾燥サイクルを行うため、入口を開く。この連続乾燥では、内部塗布装置３４と炉３５′の間にも、少なくとも炉の滞留スペースの大きさの滞留スペースを設ける必要がある。
構造を単純にし、特に全ての缶を正確に同じように乾燥するため、連続的に動作する貫通炉を使用すると特に効果的である。この炉を通して搬送ベルトが進み、このベルトは好ましくは標準幅を有し、ベルト幅に相当する缶の並びで滞留装填部から装填される。ベルトの速度は缶の最大の流れが炉を通過するように選択される。必要な加熱時間あるいは乾燥を達成するため、炉の長さをベルトの速度に合わせて選択する必要がある。炉を過ぎると、平行に進む缶の列は、特に滞留領域からでる時に再びばらばらにされる。
缶は内部にラッカーを塗布するため外面を保持する必要がないので、内面を塗布する前に外面の塗布を行う設備も有効である。そのような設備では、缶は内部を塗布した後に内部に保持される必要はなく、これが新鮮な内部ラッカー層の歪みを低減する。缶を内部に保持することを実質上省くため、缶は例えばパレットの上で外部処理する時に、缶の開口で小さな内部領域でのみ保持される。
この発明による設備では、三つの外部塗布の各々の後に実行すべき乾燥を一つの共通の炉装置４７で行うことが低経費で可能になる。下塗り装置３９′から缶は好ましくは搬送ベルトの上で炉装置４７の第一乾燥領域４７ａに達し、そこから印刷装置４０′に達する。この印刷装置４０′から缶は第二乾燥領域４７bを経由して上塗り装置４１′に達し、そこから第三乾燥領域４７cを経由して荷降ろし装置４８に達する。外部塗布は主に水平に保持された缶に対して行われるので、場合によっては、乾燥領域を通過するベルトコンベヤへの、およびこのベルトコンベヤからの受渡を簡単にするため、このベルトコンベヤを少なくとも受渡領域でほぼ垂直な搬送面を持つ磁気コンベヤとして形成すると効果的である。乾燥は両側の開いたトンネル炉の中で連続的に行われるか、あるいは内部塗布炉３５′に関して説明したように、好ましくは不連続的にも行われる。
ラッカーを塗布する時に、缶をパレットの上に缶の開口の内部縁部分でのみ保持することにより、場合によっては、缶を外部塗布装置３９′，４０′，４１′の保持心金の上に載せることを省くことができる。
荷降ろし装置４８は、パレットを缶から分離するため、特に缶の接続面から突出し、パレットに接続する接続部分の少なくとも一部を外すための分離手段を有する。リベット連結部を切り離すため、例えば缶とは反対のパレット側からリベットの頭を切り離すフライス装置が設けてある。パレットの上に出ている当接手段により、パレットから切り落とされることが防止される。切断後には、分離装置が両方の部分をそれぞれ一つの他の案内部に導入する。
パレットを伴わない缶は、次の最終整形装置４３内で更に処理され、特に缶の底を所望の形にプレスされ、場合によって、接続部分を完全に除去される。缶の開口には、弁を入れる首部分が形成される。粗加工時に既に底の成形を行うこの設備では、底の形に合わせたパレットを使用する必要がある。
パレットは、パレット戻し部４９を経由し、好ましくは少なくとも部分的に磁化するベルトコンベヤを経由して、パレット荷降ろしステーション４８から主にパレット洗浄装置５０および／またはパレット保管装置５１を経由してパレット積み込みステーション３１′に達する。戻し部の直ぐ近くにあるパレットの傍には、少なくとも処理中の缶と同じ個数のパレットが存在する筈である。
図３は缶１０３に対して好ましいパレット１０７を示す。この缶の底の成形はパレット荷降ろし後に初めて行われる。パレット１０７は搬送面に嵌まるパレット接続面１２２と、パレット１０７を缶の底の面１３０に接続するため少なくとも一つの接続装置のある連結面１２１とを有する。その場合、パレット接続面１２２と連結面１２１はほぼ平行に配置されている。好適実施例では、パレット接続面１２２はリング状に、また連結面１２１は円板状に形成されている。両方の面１２１と１２２は好ましくは円筒状の間隔保持面１３１により所望の間隔に互いに保持されている。この間隔保持面１３１は、好ましくはパレット接続面１２２の内側縁部分から連結面１２１の外側縁部分に通じている。
接続装置は少なくとも一つの、好ましくは中心接続開口１１７を有し、この接続開口に缶の面１３０の接続部分１３２が、場合によって、摩擦係合で、好ましくは形状を合わせて、特にリベット処理で固定できる。このリベット処理により、接続部分１３２の自由端が連結面１２１の缶とは反対の側で接続開口の縁部分を越えて横方向に変形する。リベット接続が温度による材料変形しても回転止めされるように、連結面１２１と缶の面１３０を接続部分１３２のところで間隔部材１３３により間隔保持して、好ましくはバネ応力を発生させる。接続開口１１７の周りに対称に好ましくは少なくとも三つのリブを設ける。リベットを付ける時、パレット１０７と缶１０３の間の間隔は容器の底および／またはパレット１０７の連結面１２１の弾性変形により幾分低減する。缶の面１３０が洗浄できるように残りの間隔を選択する。
パレット接続面１２２の外側縁部分には、この接続面１２２に対してほぼ垂直に形成され、接続面１２２から連結面１２１に向けて延びる横接触面１３４がある。この接触面１３４によりパレットはこの案内部材を接触させるか、あるいは互いに案内接触または間隔保持接触させる。
パレットは、缶を入れるため、好ましくは、缶の横断面あるいは缶の直径が間隔保持面１３１および接触面１３４の横断面あるいは直径の間にあるように設計される。これにより、印刷時に印刷ローラが缶の下縁部分の上に突出しても、缶を互いに接触させないことを保証する。缶を無接触で搬送することは特に外部処理した直後に大切である。何故なら、これにより未だ新しい被覆の損傷が防止できるからである。異なる三つのパレットで全てのタイプの缶を収納できるためには、例えば次の缶直径の範囲、22〜35mm，35〜53mmおよび53〜66mmにパレットを設計する。
連結面１２１の貫通開口１１８ａは缶の面１３０の洗浄性を改善し、接続面１２２の開口１１８bと共にパレットの重量を低減するので、炉からパレットにより排出される熱量も低減する。パレットを低コストで作製するため、磁化可能な鋼から打ち抜き、好ましくは深絞りでパレットを所望の形にする。
図４は、パレット１０７と同じように形成されたチューブ１０３′用のパレット１０７′を示す。接続部品としては好ましくはネジ部品１３２′を使用する。図示する実施例では、ネジ部品１３２′の自由端の膨らみがプレス工程により外向きに接続開口１０７′の上に突出するので、チューブ１０３′はパレット１０７′に固定連結する。チューブとパレットを分離する場合には、この膨らみを除去する必要がある。ネジ部品１３２′に事後の加工をしなくてもよいようにするため、パレット１０７′の有利な構成では、特にバネ付勢された少なくとも一つの係合装置を設ける。この装置をチューブ１０３′に簡単に係合させるため、部分１３２′，好ましくはネジ部分１３２′のチューブ側の端部にネジを切って、溝を付ける。プレス状態でネジの上に導入される少なくとも一つの係合装置は、チューブをパレット上に保持するように、保持状態で溝に嵌まる。チューブ１０３′をパレット１０７′に対して良好な向きにするため、パレットは接触領域、好ましくは三つの接触領域を有する。これ等の接触領域には、チューブを係合装置によりパレットのところに保持する時、チューブの外側面の対応する領域が接触する。この係合装置は、三つのバネ舌部を有すると有利である。
図５は、アルミニウムのような非磁性材料の缶３の内部に防食被覆を付けるためスプレーノズル２のあるスプレー装置１を備えた内部塗布処理ステーションを模式的に示す。ノズル２による噴霧処理に続き、缶３は、例えばトンネル炉として形成された乾燥室４の中に入る。この場合、缶を乾燥室の図示していない他端に送るように構成するか、あるいは缶をベルトコンベヤ５の下部ベルトから更に以下に説明する方法で再び左（図５に関して）に送るように構成できる。この場合、ベルトコンベヤ５の下部ベルトの側にも、他のスプレー装置のような処理装置を配置することもできる。
缶３を処理するためベルト５の上でその位置を確実に保持するため、ベルトコンベヤ５を周知の磁気ベルトコンベヤで形成し、ベルト５の中に小さな永久磁石を入れてベルトと一緒に回転させるか、あるいはベルト５の下側に固定磁石板６を配置し、この磁石板が、場合によって、そこに配置された電磁石と一緒に作用するか、同様に永久磁石の磁気作用をする。
ベルト５を例えば前進移動させる必要がある場合、あるいは缶３を下部のベルトにも止めた場合でも、非磁性の缶３をベルト上に確実に保持するには、ベルトに磁化可能なパレット７を配分する。従って、これ等のパレットは磁石板６に作用し、ベルト５が缶を連行するように形成したいのであれば、磁石板６をベルト５の下部ベルトの近くにも配置する必要がある。他方、パレット７をベルト５に固定連結してもよい。パレットがベルトの上で移動可能であると有利である。何故なら、後でもっと分かるように操作を容易にするからである。
ベルトコンベヤ５に平行に、あるいはベルトコンベヤ５に対して一定の角度を成して配置されている第二のベルトコンベヤ８を設け、このベルトコンベヤも原理的に磁石ベルトコンベヤで構成してもよい。このベルトコンベヤ８から缶３をベルトコンベヤ５へ移すため、ベルト８の進行方向（矢印９）に対して斜めの偏向面１０があり、この偏向面は好ましくは缶３に作用しなくて（缶の外面を保護するため），移動可能なパレット７に作用する。
図５の図面はそれぞれ一つの缶３が他の缶の後に示してあるが、缶３をこの発明の枠内でそれぞれのベルト５や８に対（あるいはもっと多くの個数）にしても簡単に配置でき、それにより生産力も上昇する。この場合、当然、処理装置をそれぞれ多重にして隣接配置することができる。偏向面はただ一つの傾斜を持つ代わりに、缶３を（移動方向９に対して）その都度左や右に曲げるため、ベルト８の中央にある矢印状の先端でも形成される。更に、同じタイプのベルト５と８を搬送ベルトとして設ける必要はない。例えば一つのベルトの横に一つのターンテーブルも配置することができ、このターンテーブルの上で例えばラッカーの塗布の回転させるため、このターンテーブルへ各缶を移動させる。この工程のために時間を与え、各コンベヤベルトをそれぞれ止めずに間欠駆動させることが必要であるため、偏向面１０を静止の代わりに（図５に示すように、例えばベルトコンベヤ８の図示していない枠に固定されているように）配置し、例えばそれぞれベルトコンベヤの軌道の中で、例えばラックとピニオン駆動部により、あるいは、空気シリンダのような流体駆動部により制御できる。その結果、連続する多数の偏向面も交互にベルトコンベヤ８の軌跡９の中に突き出るか、あるいは、缶３をターンテーブルのような連続する装置に向けて移動させるため、そこから引き出される。このようなターンテーブルから缶は操作により除去されるか、あるいはそこでもタンーテーブル上で移動可能な偏向面を設け、これ等の偏向面が缶３を含めてパレット７を再びベルト（あるいは他のベルト）の上に持ち込む。他の可能性は、パレット自体をターンテーブルとして構成し、後で未だ図７に基づき説明するように、例えば周囲に駆動することにある。
偏向面１０は缶３の到来に合わせてタイミングをとって各位置に移動することを上で説明した。これに対して、場合によって、正確な制御を使用でき、その具体例が図５に示してある。同じことは、場合によって、スプレー装置１のような処理装置の操作にも当てはまる。これは、ラグ１２により支持部１３に係合する二つのシリンダユニット１１を示す。ラッカーのような噴霧液体をノズルに導くことは、支持体１３に続く図示していない少なくとも一つのホースあるいは各ノズルに対する一つのホースにより行われる。
缶が各ノズル２の下にあることを確認するため（そのようなノズルのただ一つあるいは完全なバッテリーを設けることができる），センサ１４が設けてあり、このセンサ１４は任意に形成できる。図５の図面には、そのセンサが光源１５と対向する光電変換器１６のある光バリヤーとして形成されている。これ等の部材はベルトコンベヤ５と同じ側に配置することもできる。その場合、変換器１６は例えば缶３から反射した光を受光する。後者の配置は、その周囲が円形であるため、特定な時点で特に顕著な信号を出力する。
他方、センサの選択に関して光電センサや他の輻射センサに限定されない。何故なら、缶の材料は一般に誘導性あるいは容量性のセンサにも応答する。何れの場合でも、センサ１４あるいは変換器１６の各々の出力信号は、シリンダ１１のような対応する運動ユニットを制御するために使用される。
磁化可能なパレット７を使用することは、比較的重たい材料を使用することを一般に意味する。それ故、図６に示すように、考えられる目的に対して主に円形のパレット７の各々が、その厚さを貫通し、二つの主面を互いに接続する少なくとも一つの開口を有し、一方で重量を低減し、他方で、後で説明するように、付加的な目的にも使用できるなら、有利である。図６の実施例では、一つの中央の開口１７の外に、他の開口１８もある。これ等の開口１７，１８は、一方で缶の突起、例えば缶の下縁部分１９（図８）のような部分を入れる窪みとして、つまり保持装置として働くが、当然反対の配置も可能である。この配置ではパレットに缶３の窪みに入るか、あるいはその縁部分を取り囲む突起がある。しかし、この後者の例は好ましくない。何故なら、缶の表面を自由に扱う時、一般に缶の表面を完全に処理するのにより望ましいからである。これは、後で説明する図８と５の特別な構成に対する理由である。
上に説明したように、パレットの駆動を望むなら、その横断面を図７のように形成してもよい。そこでは、Ｖ溝２０を持つパレット７aが示してある。このＶ溝２０には、例えば適当に構成され、例えば中心軸Ａに対して一定の角度で周囲に配置されている二つの摩擦円板が作用する。理論的には、ベルト駆動も考えられるが、その時、このベルトは各パレット７aの周囲に配置する必要がある。しかし、パレットを回転駆動するために、多かれ少なかれ滑らかなか、あるいは歯を付けた周囲表面（歯車と係合するため）のような他の構成の周囲表面も可能であることが分かる。更に、中央の開口１７は駆動軸を差し込むためにも利用できるが、これは一般的に実用的ではない。その外、図７の実施例では、パレット７a（後で述べるパレット７bと７cも）がリング状になるように、中央の開口１７を大きく設計するとよいことも説明しておく。
このようなＶ溝２０の他の目的は、偏向面１０（図５を参照）をこの溝に係合させることができる点にある。これ等の偏向面は、缶の表面に引っ掻き傷を付けない程度に最大でパレット７aの厚さに相当する厚さを持つと効果的である。当然、その時の品物が図示する缶３の場合のようにそんなに敏感でない表面なら、偏向面自体をその時の品物の高さに配置することができる。その場合、パレットは、場合によっては、各搬送機にも固定連結できる。
図７でパレット７aの平坦な構成も見ることができる。このパレットは缶に対向する接続面あるいは主面２１（この中の上で想定した）と磁気コンベヤ（５または８）に対向する接続面あるいは主面２２を有する。
特に図８に示すように、上主面２１の平面から間隔保持体としての突起２３が突出し、例えばトンネル炉４で加熱空気を下側により良好に到達させるため、これ等の突起が中間に破線で示す送風通路を空けてもよい。
説明したように、それぞれの缶３の周囲の表面を自由に扱えることは一般に重要である。それ故、場合によっては、パレット７cが、図８から分かるように、缶３より小さい周囲を持っている。
パレット７cに対する他の解決策は図９に示してある。パレット上で（比較的軽い）缶３の安定性を高めるため、缶の下縁部分１９aに外ネジがあり、この外ネジがパレット７cの内ネジ２６に螺合する。缶３の周囲の表面の扱い易さは、この実施例の場合、パレット７cが凸状の上主面２１aを有し、缶の周囲に間隔ｓほど突出することにより保証され、これが安定性を改善する。面２１aの曲がりは、空気の通りを良くするため、波形（破線で示す凹状部分２７を参照）によっても間隔保持体を与える。
この発明の枠内で、多くの実施態様が可能である。例えば、開口１７，１８は加工装置を入れるために使用され、形成されか、あるいは配置される。磁気ベルトコンベヤが好ましいが、既に説明したように、磁石と作用する他のコンベヤも考えられる。更に、多数の品物３，例えば一対の缶３を入れるパレットを形成することができる。もっとも、これは一般的には好ましいものではない。
説明した実施例の全ての構成を任意に組み合わせることができることは自明である。
【図１】
0004132073.tif 000002
【図２】
0004132073.tif 000003
【図３】
0004132073.tif 000004
【図４】
0004132073.tif 000005
【図５】
0004132073.tif 000006
【図６】
0004132073.tif 000007
【図７】
0004132073.tif 000008
【図８】
0004132073.tif 000009
【図９】
0004132073.tif 000010